(57)【要約】      （修正有）【課題】太陽光発電パネルを簡単な構成でスマートフォンのカバーに設けて、スマートフォン本来の機能を損なうことなく太陽光発電力を充電して、外部電力からの充電が不能な長時間登山中、長期探索旅行中、長時間停電中等でもバッテリーに充電することを可能になり通信不能となることが極めて少ない、電力自給式の太陽光発電機能を有するカバー付スマートフォンを提供する。【解決手段】カバー付スマートフォン１００のカバーに、太陽光発電パネル１０２を配置し、太陽光発電パネルの電力送電ターミナル１０３をスマートフォン収容部に露出配置し、電力送電ターミナルに圧接可能にした電力受電ターミナル１０５をスマートフォンの裏側に設け、スマートフォンに内設の充電器１０４に電力充電可能にした。【選択図】図１
0003225669.tif 000002
【実用新案登録請求の範囲】
【請求項１】
カバー付スマートフォンのカバーに、太陽光発電パネルを配置し、前記太陽光発電パネルの電力送電ターミナルをスマートフォン収容部に露出配置し、この電力送電ターミナルに圧接可能にした電力受電ターミナルをスマートフォンの裏側に設けて、スマートフォンに内設の充電器に電力充電可能にしたことを特徴とするカバー付スマートフォン。
【考案の詳細な説明】
【技術分野】
【０００１】  本考案は、太陽光発電機能を有するカバー付スマートフォンに関するものである。
【背景技術】
【０００２】  一般に普及しているスマートフォンは、損傷防止のために折り畳み式開閉蓋つきのカバーの収容部に矩形の本体を収容している。この本体は表面にディスプレイを配置した、一枚もので、外部からの電力を内設のバッテリーに充電して使用に供している。
このため外部からの充電が不能な長時間登山中、長期探索旅行中、長時間停電中、等でバッテリーの充電容量が無くなると通信不能となる。
このため予備のバッテリーを多量に準備する必要がある。【０００３】  従来は、特許文献１で紹介のように、図４において、折りたたみ式携帯電話及びＰＨＳのキーボード面３、９、液晶ディスプレイ面２、８に加え、液晶ディスプレイ面２、８の裏面かつ太陽電池部１に軸で４で開閉可能な太陽電池面６、７を設け、充電及び充電電池の補助機能を持たせるガラケイに太陽電池プレート６、７を増設して３枚折りの携帯にし、かつ本体に太陽電池専用の充電池をもうけた３枚構造の複雑なものである。
【先行技術文献】
【特許文献】
【０００４】
【特許文献１】実用新案登録第３０１１６９２号公報
【考案の概要】
【考案が解決しようとする課題】
【０００５】  本考案は、カバー付スマートフォンのカバーに太陽光発電パネルを簡単な構成で設けて、スマートフォン本来の機能を損なうことなく太陽光発電力を充電して、外部電力からの充電が不能な長時間登山中、長期探索旅行中、長時間停電中等でもバッテリーに充電することが可能になり通信不能となることが極めて少ない、電力自給式の太陽光発電機能を有するカバー付スマートフォンを提供する
【課題を解決するための手段】
【０００６】  上記課題を満足させる本考案のカバー付スマートフォンにおける主な技術構成は、次の（１）の通りである。
（１）、カバー付スマートフォンのカバーに、太陽光発電パネルを配置し、前記太陽光発電パネルの電力送電ターミナルをスマートフォン収容部に露出配置し、この電力送電ターミナルに圧接可能にした電力受電ターミナルをスマートフォンの裏側に設けて、スマートフォンに内設の充電器に電力充電可能にしたことを特徴とするカバー付スマートフォン。【０００７】  本考案で言うスマートフォンとは、Ｗｅｂブラウジングなどネット利用に主眼をおいた携帯端末で、古くはウィルコムのＷ−ＺＥＲＯ３シリーズ、アップル社から発売されたｉＰｈｏｎｅ（アイフォン）、Ｇｏｏｇｌｅ製のＯＳアンドロイドを搭載したドコモ、ａｕ製のスマートフォン等を言う。【０００８】  また、前記太陽光発電パネルとは、太陽電池をたくさんつなげたもので、いちばん小さな単位を「セル」、そのセルを板状につなげたものを「モジュール」、とか「パネル」とよばれる。前記太陽電池とは太陽の光エネルギーを直接電力に変換する「発電機」の役割をはたし、太陽から地上に降り注ぐ光電子「光エネルギー」がシリコン系、化合物系、有機系などの半導体に照射されると「光起電力効果（ひかりきでんりょくこうか）」とか「光電効果（こうでんこうか）」と呼ばれる現象が起り、電気が起きるもので、燃料を必要としないので、排気ガスやＣＯ２、燃えかす、使用済み燃料の処理なども発生しなく、また、火力発電のようにエンジンやタービンといった稼働部分がないため、故障が発生しにくく信頼性が高く地球環境にやさしい安全でクリーンなエネルギーである。
【考案の効果】
【０００９】  本考案は、前記カバー付スマートフォンのカバーに前記の優れた作用効果を有する前記太陽光発電パネルを設けたので、カバー付スマートフォンは本来の機能を損なうことなく改造を前記電力受電ターミナルを設けるのみにして太陽光発電力を充電可能にし、外部電力からの充電が不能な長時間登山中、長期探索旅行中、長時間停電中等でもバッテリーに充電することが可能になり通信不能となることが極めて少ない。
前記カバーに太陽光発電パネルを設ける箇所としては、実施例１と実施例２のように開閉カバーの内側表面及び外側表面に設けると、開閉カバーを開いてスマートフォンを使用中も、閉めて未使用中も充電が可能である。また閉めて未使用中が多い場合は実施例２のように開閉カバーの外側表面に設置すればよい。また開いて使用中が多い場合は実施例１のように開閉カバーの内側表面に設置すればよい。更に実施例３のように開閉カバーの外側表面とスマートフォン収容部の背表面の両面に設ければ開閉カバーの開閉状態に関係なく充電が可能であり利便性が高いが、太陽光発電パネル部を載置面にしないように注意が必要である。太陽光発電パネルの損傷防止フィルムを貼着すれば問題は払拭する。
【図面の簡単な説明】
【００１０】
【図１】本考案の実施例１のスマートフォン１００を示し、カバーの開閉蓋を開いた状態をしめす平面説明図である。
【図２】本考案の実施例２のスマートフォン２００を示し、カバーの開閉蓋を開き裏返しにした状態の平面説明図である。
【図３】本考案の実施例３のスマートフォン３００を示し、カバーの開閉蓋を開き裏返しにした状態の平面説明図である。
【図４】特許文献１にて紹介の従来の携帯電を示す斜視図である。
【考案を実施するための形態】
【００１１】  考案を実施するための形態を図１〜図３に示す実施例により詳細に説明する。
【実施例１】
【００１２】  図１に示す本考案の実施例１のスマートフォン１００は矩形のディスプレイ１０１を有し、そのカバーＫの収容部Ｋ１に収容される。カバーＫの開閉蓋Ｋ２の内側表面に太陽光発電パネル１０２を配置し、前記太陽光発電パネル１０２の電力送電ターミナル１０３は、スマートフォン収容部Ｋ１に露出設置し、スマートフォン１００に機裏に露出配置してある電力受電ターミナル１０５に圧接連結して内設の充電器１０４に電力充電可能にしたものである。
本例は、開閉蓋Ｋ２を開いてその内側表面の太陽光発電パネル１０２を太陽側に斜めにあるは直下に向けておけばディスプレイ１０１の画面操作の有無に関わらずいつでも充電が可能である。
【実施例２】
【００１３】  図２に示す本考案の実施例２のスマートフォン２００は矩形のディスプレイ２０１を有し、そのカバーＫの収容部Ｋ１に収容される。カバーＫの開閉蓋Ｋ２の外側表面に太陽光発電パネル２０２を配置し、前記太陽光発電パネル２０２の電力送電ターミナル２０３はスマートフォン収容部Ｋ１に露出設置し、スマートフォン２００に機裏に露出配置してある電力受電ターミナル２０５に圧接連結して内設の充電器２０４に電力充電可能にしたものである。
本例は、開閉蓋Ｋ２を開いてその外側表面の太陽光発電パネル２０２を太陽側に斜めにあるは直下に向けておけばディスプレイ２０１の画面操作の有無に関わらずいつでも充電が可能である。
【実施例３】
【００１４】  図３に示す本考案の実施例３のスマートフォン３００は、矩形のディスプレイ３０１を有し、そのカバーＫの収容部Ｋ１に収容される。カバーＫの開閉蓋Ｋ２の内側表面に太陽光発電パネル３０２を配設し、更にカバーＫのスマートフォン収容部の背面側に前記太陽光発電パネル３０３を配設し、これらのパネルからの集電用の電力送電ターミナル３０４はスマートフォン収容部Ｋ１に露出設置し、スマートフォン３００に機裏に露出配置してある電力受電ターミナル３０５に圧接連結して内設の充電器３０４に電力充電可能にしたものである。
本例は、開閉蓋Ｋ２を開いてその外側表面とスマートフォン収容部の背面側の太陽光発電パネル３０２、３０３を太陽側に斜めにあるは直下に向けておけばディスプレイ３０１の画面操作の有無に関わらずいつでも充電が可能である。
【産業上の利用可能性】
【００１５】  本考案は、前述の効果及び実施例に記載の通り優れた作用効果を呈してスマートフォン利用者は勿論、携帯電話産業界への寄与と発展に貢献すること多大なものがある。
【符号の説明】
【００１６】  １００、２００、３００：スマートフォン
１０１、２０１、３０１：ディスプレイ
１０２、２０２、３０２、３０３：太陽光発電パネル
１０３、２０３、３０４：電力送電ターミナル
１０４、２０４、３０５：充電器
１０５、２０５、３０６：電力受電ターミナル
【図１】
0003225669.tif 000003
【図２】
0003225669.tif 000004
【図３】
0003225669.tif 000005
【図４】
0003225669.tif 000006